(57)【要約】【課題】作動部材が内装されるケース体の上下寸法を極力短くしても、組付設計上の誤差の有無に拘わりなく作動部材が確実に動作できると共に放熱効果も同時に満たし得る弾球遊技機用の役物を提供する。【解決手段】内部が空洞をなし周囲がほぼ密閉状に囲まれると共に所定の動作を行なう作動部材３０，３１とこれら作動部材３０，３１を動作させる駆動手段３２とが内装されるケース体３を備え、作動部材３０，３１は天壁１４ａ内面又は底壁１４ｂ内面に近接して配置される弾球遊技機用の役物Ａであって、天壁１４ａ又は底壁１４ｂにおける作動部材３０，３１と対向する部位に作動部材３０，３１の一部が介入し得てかつその動作に支障をきたさない適宜大きさの逃し孔３６ａ，３６ｂを開設した。【選択図】  図６
2004357931.tif 000002
【特許請求の範囲】
【請求項１】
内部が空洞をなし周囲がほぼ密閉状に囲まれると共に遊技盤面に開設した取付用孔に挿通され、所定の動作を行なうギア、クランク等の作動部材とこれら作動部材を動作させる電磁ソレノイド、モータ等の駆動手段とが内装されるケース体を備え、前記作動部材は天壁内面又は底壁内面に近接して配置される弾球遊技機用の役物であって、前記天壁又は底壁における前記作動部材と対向する部位に該作動部材の一部が介入し得てかつその動作に支障をきたさない適宜大きさの逃し孔を開設したことを特徴とする弾球遊技機用の役物。
【発明の詳細な説明】
【０００１】
【発明の属する技術分野】
本発明は、遊技盤面に開設した取付用孔に装着される入賞装置等の弾球遊技機用の役物に関するものである。
【０００２】
【従来の技術】
従来、この種役物として、例えば遊技盤に取り付けられるベース板の裏側に内部が空洞をなし周囲がほぼ密閉状に囲まれるケース枠及びその裏側に連接される裏ケースがビス止めされている。そして、その中に開閉ソレノイド、電役ソレノイドといった駆動手段及びこの駆動手段によって動作される連係片、フック連接板、電役連係片といった作動部材が内装される入賞装置がある（特許文献１参照。）。
【０００３】
【特許文献１】
特開平１１−３３３０７３号公報（第３−５頁、図４，図５）
【０００４】
【発明が解決しようとする課題】
ところで、特許文献１のように遊技盤面のほぼ中央に液晶表示装置が配置され、その下方にパチンコ球が入賞することにより前記液晶表示装置の表示部の表示を変動表示する駆動入賞口、更にその下方に一度に多くの入賞球を発生させる入賞装置が配置されたパチンコ遊技機では、顧客の興味を引き遊技の興趣を高めるため前記可変表示装置が年々大型化する傾向にある。その影響を受けて、前記液晶表示装置下方に位置する入賞装置は装着するスペースが徐々に狭くなってきている。このため、入賞装置のケース枠と共に裏ケースにおける上下寸法を極力短くする努力がなされている。しかしながら、前記特許文献１に示されるような入賞装置でケース枠及び裏ケースの上下寸法を極力短くすると、例えばフック連接板や電役連係片といった作動部材が天壁内面または底壁内面に近接することになる。このような状態では、仮に組付設計上の誤差が生ずると前記作動部材が天壁内面または底壁内面に接触して動作不良になる可能性があり、これには設計をし直すか製品を交換するといった多くの手間やコストが掛かるという課題がある。
【０００５】
そこで、本発明は上記課題に鑑みてなされたもので、作動部材が内装されるケース体の上下寸法を極力短くしても、組付設計上の誤差の有無に拘わりなく作動部材が確実に動作できるようにし、更には放熱効果も同時に満たし得る弾球遊技機用の役物を提供することを目的とするものである。
【０００６】
【課題を解決するための手段】
かかる目的を達成するため、本発明の弾球遊技機用の役物は、内部が空洞をなし周囲がほぼ密閉状に囲まれると共に遊技盤面に開設した取付用孔に挿通され、所定の動作を行なうギア、クランク等の作動部材とこれら作動部材を動作させる電磁ソレノイド、モータ等の駆動手段とが内装されるケース体を備え、前記作動部材は天壁内面又は底壁内面に近接して配置される弾球遊技機用の役物であって、前記天壁又は底壁における前記作動部材と対向する部位に該作動部材の一部が介入し得てかつその動作に支障をきたさない適宜大きさの逃し孔を開設した構成からなる。
【０００７】
このように、天壁または底壁における作動部材と対向する部位に該作動部材の一部が介入得てかつその動作に支障をきたさない適宜大きさを有する逃し孔を開設することにより、組付設計上の誤差が生じたとしても作動部材の動作が確実に行え、しかも、前記逃し孔から放熱され放熱効果をも発揮できることになる。
【０００８】
【発明の実施の形態】
以下、本発明に係る弾球遊技機用の役物の実施の形態を図面に基づき説明する。なお、弾球遊技機には、例えばパチンコ遊技機、アレンジボールまたは雀球遊技機が挙げられるが、本発明にあっては、その一例としてパチンコ遊技機について説明する。また、役物には、左右両側に同じく左右方向に回動してパチンコ球を受け止めて導きいれる所謂飛行機タイプと称される入賞装置と前後に回動してパチンコ球を受け止めて導きいれる所謂アタッカータイプと称される入賞装置があるが、本発明にあってはアタッカータイプであって、しかも、遊技盤面のほぼ中央に装着される可変入賞装置と共に遊技盤面の下部位置に装着される入賞装置について説明する。図１は入賞装置の斜視図、図２は同分解斜視図、図３は同一部切欠平面図である。図において、１は後記する遊技盤４２の前面に取り付けられる取付板であり、横長に成形されると共にほぼ中央に同じく横長方形状の球入口２が開設される。前記取付板１の裏側には、前記球入口２を囲うようにして略直方体形状をなすケース体３が配設される。このケース体３は、周囲がほぼ密閉状に囲まれ空洞をなすと共に上下寸法は取付板１の同寸法よりも少し短く設定されている。
【０００９】
前記ケース体３は、前後に二分割され前半ケース部３ａと後半ケース部３ｂとからなる。そして、前記球入口２と連通する前半ケース部３ａ内には、天壁４ａと底壁４ｂと両側壁４ｃ，４ｃと後方の中間壁４ｄとにより囲まれる球誘導部５が成形され、この球誘導部５の後側に前記中間壁４ｄに設けられた球通口６を介し連通させて一般入賞口７ａと特別入賞口７ｂとが左右に並置されている。これら一般・特別入賞口７ａ，７ｂに入賞するパチンコ球はその下側にそれぞれ設けられた球検出器８により検出される。
【００１０】
前記特別入賞口７ｂの外側近傍には、前後端部を前記中間壁４ｄ及び前半ケース部３ａと後半ケース部３ｂとの間の仕切壁９に支持する支軸１０がほぼ水平に配置され、この支軸１０に作動部材としての止部材１１が上下方向に自在に回動するように軸支されている。止部材１１は、前記支軸１０に遊嵌される軸筒部１１ａとその外周面一側にその長手方向に沿って張設される止板部１１ｂとからなる。一方、前記止部材１１の後端部には支持片１２が垂下され、その後面に平行な左右一対の係合杆１３，１３が後半ケース部３ｂ内に位置するようにして突設されている。後半ケース部３ｂ内には、天壁１４ａと底壁１４ｂとに設けられた方形状の上部枠１５ａと下部枠１５ｂとに挟まれるようにして駆動手段としての第一電磁ソレノイド１６が横向きに配置され、図４に示すようにそのプランジャー１７先端に取着された補助板１８が前記止部材１１の両係合杆１３，１３間に介在している。
【００１１】
前記止板部１１ｂは特別入賞口７ｂ側に配置され、前記第一電磁ソレノイド１６は常には消磁しており、このとき図５実線に示すように止板部１１ｂはほぼ水平に位置すると共にその前端縁の外側が球通口６の一側に臨み、球通口６に流入したパチンコ球が特別入賞口７ｂに入賞するのを阻止するようにしている。そして、第一電磁ソレノイド１６が励磁すると、プランジャー１７が収縮して図５鎖線に示すように止部材１１が回動し止板部１１ｂを上方へ跳ね上げる。これにより、球通口６に流入したパチンコ球Ｂが特別入賞口７ｂにも入賞することになる。
【００１２】
前記ケース体３内の左右両側に、前記球入口２の横幅とほぼ同じ間隔離しかつ前端面が開放されると共に球入口２と連通する縦長状の摺動溝１９，１９がほぼ平行に配置される。そして、これら各摺動溝１９内に作動部材として細長状の可動部材２０が収容され、各摺動溝１９内に沿って前後に自在に移動すなわち摺動するようになっている。
【００１３】
そして、前記両可動部材２０，２０の前端部２０ａ間に開閉扉２１が配置される。この開閉扉２１の両側下部に軸孔２２が設けられており、両可動部材２０，２０の前端部２０ａに設けられる透孔２３に挿通された軸ピン２４が前記各軸孔２２にそれぞれ遊挿される。これら前端部２０ａが開閉扉２１の軸支部となる。また、開閉扉２１の前面には前側へ傾倒したとき取付板１の前面に当接して受け止められたパチンコ球が球入口２へ流入するように開閉扉２１を所定の角度で停止させる停止板２５が突設される。開閉扉２１は前後へ回動できかつ常に前側へ傾倒するようにその重心位置が設けられている。更に、開閉扉２１の両側下縁には下方へ突出する梃片２１ａ，２１ａが設けられる。これら梃片２１ａ，２１ａは開閉扉２１が後退するとき前記取付板１の前面に当接して球入口２を塞ぐべく開閉扉２１を起立させるためのものである。前記開閉扉２１の裏面下部に該開閉扉２１が前側に傾倒したときその上面で受け止められ球入口２へ流入するパチンコ球を円滑に転動させ後方へ送り込む案内板２６が配置される。この案内板２６も両側に開設された各軸孔２７に前記各軸ピン２４が遊挿され、開閉扉２１とは別個に回動できるようになっている。そして、常には案内板２６の下端縁が前記前半ケース部３ａ、詳しくは球誘導部５の底壁４ｂの上面に接触している。
【００１４】
前記両可動部材２０，２０の後部上面には、その上面に沿って第一ラック２８が設けられる。前記後半ケース部３ｂ内に、前記両可動部材２０，２０と直交するようにして駆動軸２９がほぼ水平に配置される。この駆動軸２９はその両端部を両側壁１４ｃ，１４ｃに軸支される。また、図３、図６に示すように駆動軸２９の両端側に前記各第一ラック２８と噛合する作動部材としての第一ピニオン３０，３０が取着され、一方の第一ピニオン３０の外側であって前記駆動軸２９に同じく作動部材としての第二ピニオン３１が取着されている。前記前半ケース部３ａの一側外側に駆動軸２９と直交するプランジャー３３が前記後半ケース部３ｂ内に位置する駆動手段としての第二電磁ソレノイド３２が配設される。図７に示すように前記プランジャー３３の先端部には第二ピニオン３１に対応位置するようにして摺動板３４が一体に設けられ、その上面に前記第二ピニオン３１と噛合する第二ラック３５が設けられている。
【００１５】
そこで、前記第二電磁ソレノイド３２が消磁しているときは、前記駆動軸２９が前回りに回転して両可動部材２０，２０を後側へ摺動させており、図８実線に示すように球入口２は起立する開閉扉２１によって閉塞されている。この状態で、第二電磁ソレノイド３２が励磁しそのプランジャー３３が収縮すると、第二ラック３５を介し駆動軸２９が後回りに回転して前記両可動部材２０，２０を前側へ摺動させる。この際、図８鎖線に示すように両可動部材２０，２０の各前端部２０ａが球入口２から前側へ突出し、同時に開閉扉２１が前側へ傾倒する。
【００１６】
後半ケース部３ｂ内は、周囲を天壁１４ａ、底壁１４ｂ、両側壁１４ｃ、仕切壁９および後壁１４ｄによりほぼ密閉状に囲まれる。また、入賞装置Ａの装置本体の上下寸法が極力短く設定してあることから、前記駆動軸２９が天壁１４ａの内面に近接して配置され、この天壁１４ａにおける駆動軸２９の所定位置に設けられた第一ピニオン３０，３０、第二ピニオン３１と対向する部位にその一部が介入し得てかつその動作に支障をきたさない適宜大きさの逃し孔３６ａ，３６ｂが開設されている。適宜大きさは、例えば第一ピニオン３０，３０、第二ピニオン３１とほぼ同じ大きさまたはこれらよりやや大きい範囲を示す。動作に支障をきたすことなく前記天壁４ａの上面から外側に食み出ない範囲で各逃し孔３６ａ，３６ｂ内に前記第一ピニオン３０，３０、第二ピニオン３１の一部がそれぞれ介入するようにしても良い。これにより、少しではあるが装置本体の上下寸法が短くできる。また、天壁１４ａ、底壁１４ｂにおける第一電磁ソレノイド１６に対応する位置には方形状の放熱孔３７が開設されている。
【００１７】
本発明は上記構成からなり、次に作用について説明する。図９は本発明が適用されるパチンコ遊技機の正面図である。図において、４０はパチンコ遊技機Ｐにおける木製の外枠であって、その前面に前枠４１が回動自在に装着される。前記前枠４１には窓口（図示せず。）が開設され、該前枠４１の裏面に配置固定される遊技盤４２前面の遊技部４２ａが前記窓口に臨むようになっている。前記前枠４１の前面に、遊技盤４２の遊技部４２ａを覆う２枚の透明板であるガラス板４３を備えた透明板保持枠４４が回動可能に装着される。また、透明板保持枠４４の下方には打球供給皿４５を設けた前板４６が装着され、前枠４１の下部前面には、余剰球受皿４７が設けられると共にその一側に操作ハンドル４８が設けられている。
【００１８】
前記遊技盤４２の前面には、遊技部４２ａを囲うようにして内側ガイドレール４９ａと外側ガイドレール４９ｂとが渦巻き状に配設される。前記遊技部４２ａには、例えば、ほぼ中央に表示部５０ａを備えた可変表示装置５０が配置され、また、その下方にパチンコ球の入賞により前記表示部５０ａの文字、数字、図形等の表示を変動表示させる始動入賞口５１が配置される。更に、その下方であって遊技盤４２に開設された取付用孔５２ケース体３を挿通して本発明の入賞装置Ａが装着される。
【００１９】
そして、前記始動入賞口５１にパチンコ球が入賞することにより可変表示装置５０の表示部５０ａの表示が変動する。そして、その表示が一定の時間経過後に停止して特定の表示（例えば「７７７」）を示し、遊技者にとって有利な特別遊技状態になったとき、一定の条件の下で開閉扉２１が所定回数開成され一度に多くの入賞球が得られようになっている。すなわち、第二電磁ソレノイド３２が励磁してそのプランジャー３３が収縮すると共に摺動板３４が後退する。これにより、駆動軸２９が後回りに回転すると共に図１０実線に示すように両可動部材２０，２０が前側へ摺動してその前端部２０ａ，２０ａが球入口２から前方へ突出する。同時に、開閉扉２１がその自重により前側へ傾倒し停止板２５が取付板１の前面に当接して所定角度開く。この際、開閉扉２１の上端縁２１ｂは、遊技盤４２の前面を覆う透明板保持枠４４のガラス板４３からほぼ５ｍｍ以内に位置する。これは、ガラス板４３と開閉扉２１との間にパチンコ球が載って一時的に滞留しないようにするためである。
【００２０】
開閉扉２１が前側へ傾倒し球入口２が開成されると、前記第一電磁ソレノイド１６が励磁して止板部１１ｂを跳ね上げ、特別入賞口７ｂにもパチンコ球が入賞できるようになる。この状態では、開閉扉２１に受け止められるパチンコ球は、球入口２に流入して球誘導部５内に入り、更に球通口６を介して一般入賞口７ａまたは特別入賞口７ｂのいずれかに入賞する。特別入賞口７ｂに一個のパチンコ球が入賞すると、第一電磁ソレノイド１６が消磁して止板部１１ｂが底壁１４ｂとほぼ平行となる位置まで下方へ回動し、特別入賞口７ｂへのそれ以上のパチンコ球の入賞を阻止する。通常、球入口２が開成している間に特別入賞口７ｂに少なくとも１個パチンコ球が入賞すると、閉成後再び開成するようになっている（この動作は一定の条件で１６ラウンド繰り返される。）。前記特別入賞口７ｂへ二個以上のパチンコ球を入賞させないようにしているのは、１ラウンド間に特別入賞口７ｂへのパチンコ球の入賞する入賞確率を３０パーセント以内に抑えることという制約があるからである。
【００２１】
そして、一般入賞口７ａまたは特別入賞口７ｂに合わせて１０個のパチンコ球が入賞すると、第二電磁ソレノイド３２が消磁しプランジャー３３が突出して駆動軸２９を前回りに回動させる。これにより、両可動部材２０，２０が後退してそれら前端部２０ａ，２０ａが球入口２内に入る。この両可動部材２０，２０が後側へ摺動するとき、図１０鎖線に示すように各梃片２１ａが取付板１の前面に当たり停止すると共にこの点を支点として上端縁２１ｂ側が上がり同図実線に示すように開閉扉２１が起立して球入口２を塞ぐ。
【００２２】
本発明にあっては、前記ケース体３、すなわちケース体３ａの上下寸法が、遊技盤４２面における設置スペースが狭い関係上、できるだけ短く設定されている。このため、駆動軸２９が天壁１４ａの内面に接近し、しかも各第一・第二ピニオン３０，３１が天壁１４ａの内面に近接して配置される。しかしながら、その天壁１４ａにおける各第一・第二ピニオン３０，３１と対向する部位に逃し孔３６ａ，３６ｂを設けるようにしたので、取付設計上誤差が生じ各第一・第二ピニオン３０，３１が本来天壁１４ａに当接するようなことがあったとしても、図６、図７に示すようにその一部が逃し孔３６ａ，３６ｂ内に納まる。よって、各第一・第二ピニオン３０，３１の回転動作に支障を生ずるようなことがなくその動作が確実に行なえことになる。
【００２３】
また、後半ケース部３ｂ内には第一電磁ソレノイド１６がありそこから発熱する。この第一電磁ソレノイド１６に対してはその天壁１４ａ，底壁１４ｂにそれぞれ放熱孔３７が開設されそこから熱を放散するようにしているが、後半ケース部３ｂ内には熱がこもる場合がある。このようなとき前記逃し孔３６ａ，３６ｂも図６、図７に示すように放熱孔として機能し、後半ケース部３ｂ内の熱を逃す。よって、第一電磁ソレノイド１６が加熱されるのを防ぐ働きをする。更に、各逃し孔３６ａ，３６ｂ内には、前記各第一・第二ピニオン３０，３１の一部が天壁１４ａの外面から外側に食み出ない範囲で介入するようにすれば、その分前記ケース体３の上下寸法を更に短くでき、入賞装置Ａをできる限りコンパクトにできることになる。
【００２４】
なお、本実施の形態では、逃し孔３６ａ，３６ｂを天壁１４ａに開設したが、底壁１４ｂに近接して作動部材がある場合は、本実施の形態と同様にして底壁１４ｂに逃し孔３６ａ，３６ｂを開設するようにしても良いこと勿論である。
【００２５】
【発明の効果】
以上説明したように本発明は、ケース体の天壁または底壁における作動部材と対向する部位に該作動部材の一部が介入得てかつその動作に支障をきたさない適宜大きさを有する逃し孔を開設したので、ケース体の上下寸法を極力短くした結果、作動部材が天壁内面または底壁内面に近接しこの状態で取付設計上誤差が生じても、作動部材の一部が逃し孔内に納まりその動作に支障を生ずるようなことがなくその動作が確実に行なえる。これにより、再度設計をし直したり、製品を交換するといった多くの手間やコストが不要になるという有益な効果がある。
【００２６】
また、前記逃し孔が同時に放熱機能をも果し、電磁ソレノイドといった駆動手段の寿命を伸ばすことができるという効果も有る。
【図面の簡単な説明】
【図１】本発明に係る入賞装置の斜視図。
【図２】同分解斜視図。
【図３】同一部切欠平面図。
【図４】図３のＶ−Ｖ線断面図。
【図５】図３のＷ−Ｗ線断面図。
【図６】図３のＸ−Ｘ線断面図。
【図７】図３のＹ−Ｙ線断面図。
【図８】図３のＺ−Ｚ線断面図。
【図９】本発明が適用されるパチンコ遊技機の正面図。
【図１０】（イ）入賞装置の作用を示す側面断面図。
（ロ）入賞装置の作用を示す側面断面図。
【符号の説明】
３                  ケース体
１１                作動部材（止部材）
１４ａ              天壁
１４ｂ              底壁
１６                駆動手段（第一電磁ソレノイド）
２０                作動部材（可動部材）
３０                作動部材（第一ピニオン）
３１                作動部材（第二ピニオン）
３２                駆動手段（第二電磁ソレノイド）
３６ａ              逃し孔
３６ｂ              逃し孔
４２                遊技盤
５２                取付用孔
Ａ                  役物（入賞装置）
Ｐ                  弾球遊技機（パチンコ遊技機）
【図１】
2004357931.tif 000003
【図２】
2004357931.tif 000004
【図３】
2004357931.tif 000005
【図４】
2004357931.tif 000006
【図５】
2004357931.tif 000007
【図６】
2004357931.tif 000008
【図７】
2004357931.tif 000009
【図８】
2004357931.tif 000010
【図９】
2004357931.tif 000011
【図１０】
2004357931.tif 000012